(57)【要約】【課題】リンク断転送機能により生じるネットワーク擾乱を防止する。【解決手段】通信インタフェース装置１０は、クライアント装置２との間でクライアント信号を送受信する送受信部５０と、クライアント信号の受信停止を検出する検出部５１と、伝送路網３上においてクライアント信号を伝送するためのパスの出口の伝送装置４ｂへ、クライアント装置２ｂとの間でクライアント信号を送受信するための接続を切断させる指示信号を送信する指示信号送信部６１と、第１待機時間に亘ってクライアント信号の受信停止が継続するまで指示信号の送信を停止する指示信号制御部７１を備える。【選択図】図９
2012124736.tif 000002
【特許請求の範囲】
【請求項１】
クライアント装置との間でクライアント信号を送受信する送受信部と、
前記クライアント信号の受信停止を検出する検出部と、
伝送路網上において前記クライアント信号を伝送するためのパスの出口の伝送装置へ、クライアント装置との間で前記クライアント信号を送受信するための接続を切断させる指示信号を送信する指示信号送信部と、
第１待機時間に亘って前記クライアント信号の受信停止が継続するまで、前記指示信号の送信を停止する指示信号制御部と、
を備える通信インタフェース装置。
【請求項２】
前記送受信部による前記クライアント信号の送受信のための接続を切断する切断部と、
前記切断部により切断された接続の再接続の開始から完了までの時間を測定する第１測定部と、を備え、
前記第１待機時間は、前記第１測定部により測定された時間である請求項１に記載の通信インタフェース装置。
【請求項３】
前記第１測定部による測定中に前記指示信号送信部による前記指示信号の送信を抑止する第１抑止部を備える請求項２に記載の通信インタフェース装置。
【請求項４】
クライアント装置との間でクライアント信号を送受信する送受信部と、
伝送路網を経由して前記クライアント信号を伝送するための前記伝送路網上のパスの出口の伝送装置へ、クライアント装置との間で前記クライアント信号を送受信するための接続を切断させる指示信号を、送信する指示信号送信部と、
前記伝送装置から送信された前記指示信号を検出する指示信号検出部と、
前記送受信部による前記クライアント信号の送受信のための接続を切断する切断部と、
第２待機時間に亘って指示信号が継続して検出されるまで、前記切断部による切断処理を停止する切断制御部と、
前記指示信号送信部による前記指示信号の送信を停止してから、前記指示信号検出部により指示信号が検出されなくなるまでの時間を測定する第２測定部と、を備え、
前記第２待機時間は、前記第２測定部により測定された時間である通信インタフェース装置。
【請求項５】
前記第２測定部による測定中に前記切断部による切断処理を抑止する第２抑止部を備える請求項４に記載の通信インタフェース装置。
【請求項６】
クライアント装置から送信されるクライアント信号の受信停止を検出し、
第１待機時間に亘って前記クライアント信号の受信停止が継続するまで、伝送路網上において前記クライアント信号を伝送するためのパスの出口の伝送装置へ、クライアント装置との間で前記クライアント信号を送受信するための接続を切断させる指示信号の送信を停止させる、ことを特徴とする指示信号の送信制御方法。
【請求項７】
伝送路網を経由してクライアント信号を伝送するための前記伝送路網上のパスの出口の伝送装置へ、クライアント装置との間で前記クライアント信号を送受信するための接続を切断させる指示信号を送信し、
前記指示信号の送信を停止し、
前記指示信号の送信を停止してから、前記伝送装置による前記指示信号の送信が停止するまでの時間を測定することにより第２待機時間を決定し、
前記伝送装置から前記指示信号を受信してから、クライアント装置との間で前記クライアント信号を送受信するための接続を切断するまでの待機時間として、前記第２待機時間を使用することを特徴とする切断処理制御方法。
【発明の詳細な説明】
【技術分野】
【０００１】
本明細書で論じられる実施態様は、クライアント信号を伝送路網上で伝送する伝送装置においてクライアント装置との接続障害を通知する技術に関する。
【背景技術】
【０００２】
伝送装置を中継してクライアント信号を伝送する伝送路網では、伝送装置間に設定されたパスの一端の伝送装置が障害を検出した場合に、この伝送装置が、他端の伝送装置に障害発生を通知する。障害発生を通知された他端の伝送装置は、クライアント装置との接続をシャットダウンする。これによってデータの垂れ流しが防止される。
【０００３】
障害発生を通知するために使用される指示信号の例として、例えばＩＴＵ−Ｔ（International Telecommunication Union Telecommunication Standardization Sector）  Ｇ  ７０４１等で定義されるＣＳＦ（Client Signal Failure）がある。また、このような指示信号を用いた障害通知及びシャットダウン制御は、「リンク断転送機能」と呼ばれる。
【０００４】
図１は、ＣＳＦを用いたリンク断転送機能の説明図である。図１に示す通信システムにおいて、伝送装置９１ａ及び９１ｂは、クライアント装置９０ａと９０ｂとの間で送信されるクライアント信号を伝送路網上で伝送する。
【０００５】
（１）伝送装置９１ａ及びクライアント装置９０ａ間にて障害が発生すると、伝送装置９１ａは、クライアント装置９０ａからの信号のＬｏＳ（Loss of Signal）を検出する。
【０００６】
（２）この結果、伝送装置９１ａは、対向する伝送装置９１ｂにＣＳＦを送信する。
【０００７】
（３）伝送装置９１ｂがＣＳＦを受信すると、伝送装置９１ｂはクライアント装置９０ｂとの接続のシャットダウン制御を実施する。
【０００８】
（４）この結果、クライアント装置９０ｂは、伝送装置９１ｂからの信号のＬｏＳを検出する。クライアント装置９０ｂがＬｏＳを検出すると、クライアント装置９０ｂが伝送装置９１ｂとの接続のリンクダウン制御を実施する。
【０００９】
（５）伝送装置９１ｂは、クライアント装置９０ｂからの信号のＬｏＳを検出する。しかし、伝送装置９１ｂは、現在ＣＳＦを受信中であり、ＬｏＳがＣＳＦの受信によるものだと判断することにより伝送装置９１ａへＣＳＦを送信することを抑制する。
【００１０】
（６）その後、伝送装置９１ａ及びクライアント装置９０ａ間の障害が復旧する。
【００１１】
（７）伝送装置９１ａがクライアント装置９０ａからの信号の受信を検出すると、伝送装置９１ａはＣＳＦの送信を停止する。
【００１２】
（８）ＣＳＦの受信が停止すると、伝送装置９１ｂはクライアント装置９０ｂとの接続のシャットダウンを解除する。
【００１３】
（９）このとき、伝送装置９１ｂがＣＳＦを受信しておらず、クライアント装置９０ｂからの信号はまだ停止した状態が発生する。したがって伝送装置９１ｂは、伝送装置９１ａにＣＳＦを送信する。
【００１４】
（１０）伝送装置９１ａは、ＣＳＦを受信する。
【００１５】
（１１）クライアント装置９０ｂが伝送装置９１ｂからの信号の受信を検出すると、クライアント装置９０ｂは伝送装置９１ｂとの接続のリンクアップ制御を実施する。
【００１６】
（１２）伝送装置９１ｂがクライアント装置９０ｂとの接続のリンクアップを検出すると、伝送装置９１ｂはＣＳＦの送信を停止する。
【００１７】
（１３）伝送装置９１ａにおけるＣＳＦの受信が停止する。
【００１８】
なお、伝送制御装置間の通信制御装置において、自動遅延測定によるシステムパラメータの設定方式が提案されている。この方式では、交換装置は、遅延測定用フレームを送信して遅延測定用タイマをスタートさせる。端末装置は、遅延測定用フレームを受信すると直ちに遅延測定応答用フレームを交換装置へ送信する。
【００１９】
交換装置は遅延測定応答用フレームを受信すると遅延測定用タイマをストップさせ、そのタイマ値と回線速度及び遅延測定／応答フレームのビット数から回線の遅延を求める。交換装置は、求めた遅延と最大フレーム長のビット数及び装置内部のバッファ数からアウトスタンディング情報フレーム数の最大値Ｋをモジュロ−１の値を超えないように求める。次に求めたアウトスタンディング情報フレーム数の最大値Ｋと回線遅延及び１フレームの伝送時間より応答送信待タイマ値Ｔ２を求め、求めた応答送信時タイマ値Ｔ２と回線遅延及び１フレームの伝送時間からフレームの応答待ちタイマ値Ｔ１を求める。
【先行技術文献】
【特許文献】
【００２０】
【特許文献１】特開２００３−２７３９３９号公報
【特許文献２】特開平１−１６８１４１号公報
【発明の概要】
【発明が解決しようとする課題】
【００２１】
上記（９）で説明するように、指示信号によってシャットダウン制御を行った伝送装置４ｂは、障害復旧時に指示信号を送信する。このため、パス両端の伝送装置４ａ及び４ｂ間で指示信号の送信が繰り返されるとネットワークの擾乱が生じる。実施態様に係る装置及び方法は、リンク断転送機能により生じるネットワーク擾乱を防止することを目的とする。
【課題を解決するための手段】
【００２２】
ある実施形態による通信インタフェース装置は、クライアント装置との間でクライアント信号を送受信する送受信部と、クライアント信号の受信停止を検出する検出部と、伝送路網上においてクライアント信号を伝送するためのパスの出口の伝送装置へ、クライアント装置との間でクライアント信号を送受信するための接続を切断させる指示信号を送信する指示信号送信部と、第１待機時間に亘ってクライアント信号の受信停止が継続するまで指示信号の送信を停止する指示信号制御部を備える。
【００２３】
他の実施形態による通信インタフェース装置は、クライアント装置との間でクライアント信号を送受信する送受信部と、伝送路網を経由してクライアント信号を伝送するための伝送路網上のパスの出口の伝送装置へ、クライアント装置との間でクライアント信号を送受信するための接続を切断させる指示信号を、送信する指示信号送信部と、伝送装置から送信された指示信号を検出する指示信号検出部と、送受信部によるクライアント信号の送受信のための接続を切断する切断部と、第２待機時間に亘って指示信号が継続して検出されるまで、切断部による切断処理を停止する切断制御部と、指示信号送信部による指示信号の送信を停止してから、指示信号検出部により指示信号が検出されなくなるまでの時間を測定する第２測定部を備える。第２待機時間は、第２測定部により測定された時間である。
【発明の効果】
【００２４】
本件開示の装置又は方法によれば、リンク断転送機能により生じるネットワーク擾乱が防止される。
【図面の簡単な説明】
【００２５】
【図１】リンク断転送機能の説明図である。
【図２】通信システムの概略構成の例を示す図である。
【図３】伝送装置の概略構成の例を示す図である。
【図４】図３に示す制御部のハードウエア構成の例を示す図である。
【図５】クライアント信号用回線インタフェースユニットのハードウエア構成の例を示す図である。
【図６】図４に示す制御部の構成例を示す図である。
【図７】図５に示す信号処理部の構成例を示す図である。
【図８】図５に示す第１フレーマの構成例を示す図である。
【図９】図５に示すＬＩＵ制御部の構成例を示す図である。
【図１０】指示信号の送信処理の説明図である。
【図１１】接続切断処理の説明図である。
【図１２】第１待機時間の決定処理の説明図である。
【図１３】第２待機時間の決定処理の説明図である。
【発明を実施するための形態】
【００２６】
以下、添付する図面を参照して本発明の実施例について説明する。図２は、通信システムの概略構成の例を示す図である。通信システム１は、クライアント装置２ａ及び２ｂと、伝送路網３と、伝送装置４ａ及び４ｂと、監視装置５ａ及び５ｂを備える。なお、以下の説明において、クライアント装置２ａ及び２ｂを総称して「クライアント装置２」と表記することがある。また、伝送装置４ａ及び４ｂを総称して「伝送装置４」と表記することがある。同様に、監視装置５ａ及び５ｂを総称して「監視装置５」と表記することがある。
【００２７】
伝送路網３は、例えば、ＳＤＨ（Synchronous Digital Hierarchy）／ＳＯＮＥＴ（Synchronous Optical NETwork）などの同期伝送路網でよく、例えばイーサネット（登録商標）網などの非同期伝送路網でもよい。伝送装置４は、例えばパケットスイッチなどであるクライアント装置２から受信したクライアント信号を伝送路網３へ転送し、また伝送路網３から受信したクライアント装置２宛のクライアント信号をクライアント装置２へ転送する。クライアント装置２は、例えばパケットスイッチなどである。
【００２８】
伝送路網３を経由してクライアント装置２ａ及び２ｂの間に流れるクライアント信号を伝送する場合、伝送路網３上のパスが伝送装置４ａと４ｂとの間に設定される。監視装置５は、伝送装置４に処理を実行させるコマンドを伝送装置４に送信し、または伝送装置４や伝送路網３の状態を監視する。
【００２９】
図３は、伝送装置４ａの概略構成の例を示す図である。伝送装置４ａは、クライアント信号用回線インタフェースユニット１０、…１０、伝送路網用回線インタフェースユニット１１、スイッチファブリック１２及び制御部１３を備える。なお、以下の説明及び図面において回線インタフェースユニットを「ＬＩＵ」と表記する。
【００３０】
クライアント信号用回線ＬＩＵ１０は、クライアント装置２ａから受信したクライアント信号を、伝送路網３上で伝送されるフレームにカプセル化する。必要に応じてクライアント信号用回線ＬＩＵ１０は、クライアント信号用回線ＬＩＵ１０内のユニット間の伝送に使用される他のフレームにさらにマッピングしてスイッチファブリック１２へ出力する。
【００３１】
また、クライアント信号用回線ＬＩＵ１０は、伝送路網３から受信されスイッチファブリック１２を経由して伝送されたフレームからクライアント信号を取り出す。クライアント信号用回線ＬＩＵ１０は、取り出したクライアント信号をクライアント装置２ａへ送信する。その他、クライアント信号用回線ＬＩＵ１０は、クライアント装置２ａとの接続すなわちリンクの検出及び切断処理やクライアント装置２ａからの受信信号の検出を行う。
【００３２】
伝送路網用ＬＩＵ１１は、伝送路網３を流れるフレームの送受信を行う。伝送路網用ＬＩＵ１１は、受信したフレームのうち伝送装置４ａに接続されるクライアント装置２ａ宛のクライアント信号を格納するフレームを取得し、スイッチファブリック１２へ出力する。また、スイッチファブリック１２から入力したフレームを伝送路網３へ送信する。
【００３３】
スイッチファブリック１２は、クライアント信号用回線ＬＩＵ１０と伝送路網用ＬＩＵ１１との間でフレームのルーティングを行う。スイッチファブリック１２は、伝送装置４ａに対向する他の伝送装置４ｂから送信された警報信号を検出する機能を有していてもよい。警報信号は、伝送装置４ａから伝送装置４ｂへの信号の入力断を知らせる信号であってよい。
【００３４】
このような警報信号は、例えばＡＩＳ（Alarm Indication Signal）やＵＮＥＱ（Unequipment）信号であってよい。警報信号の検出は、伝送路網用ＬＩＵ１１が行ってもよい。制御部１３は、伝送装置４ａ全体の処理を制御する。
【００３５】
図４は制御部１３のハードウエア構成の例を示す図である。ＣＰＵ２０と、メモリ２１と、補助記憶装置２２と、信号インタフェース２３を備える。ＣＰＵ２０と、メモリ２１と、補助記憶装置２２と、信号インタフェース２３は、データを伝送するバス２４によって接続される。
【００３６】
補助記憶装置２２には、伝送装置４ａの動作を制御するための各種コンピュータプログラムやデータが記憶される。補助記憶装置２２は、ハードディスクや不揮発性メモリなどを含んでいてよい。ＣＰＵ２０は、データ処理装置であり、補助記憶装置２２に記憶されるプログラムを実行し、伝送装置４ａの動作を制御するための各処理を実行する。
【００３７】
メモリ２１には、ＣＰＵ２０により実行中のプログラムや、このプログラムによって一時的に使用されるデータが記憶される。信号インタフェース２３は、監視装置５と制御部１３との間、クライアント信号用回線ＬＩＵ１０と制御部１３との間、伝送路網用ＬＩＵ１１と制御部１３との間、スイッチファブリック１２と制御部１３との間の信号インタフェースである。
【００３８】
なお、図４に示すハードウエア構成は、あくまで制御部１３のハードウエア構成の一例である。以下に説明する処理を実行するものであれば、様々な種類のハードウエア構成が採用できる。
【００３９】
図５は、クライアント信号用ＬＩＵ１０のハードウエア構成の例を示す図である。クライアント信号用ＬＩＵ１０は、ＳＦＰ（Small Form factor Pluggable）３０と、信号処理部３１と、第１フレーマ３２と、第２フレーマ３３と、ＬＩＵ制御部３４と、信号インタフェース３５を備える。
【００４０】
ＳＦＰ３０は、物理層におけるクライアント信号の送受信処理を行う。信号処理部３１は、ＳＦＰ３０から出力されるクライアント信号のフレームを再生する。信号処理部３１が再生する第１形式のフレームは、例えばイーサネット（登録商標）フレームであってよい。また、信号処理部３１は、第１フレーマ３２から入力される第１形式のフレームを、ＳＦＰ３０へ入力する信号へ変換する。
【００４１】
第１フレーマ３２は、第１形式のフレームのデータを、伝送路網３上で伝送される第２形式のフレーム内にカプセル化する。例えば、第２形式のフレームはＧＦＰ（Generic Framing Procedure）フレームであってよい。また、第１フレーマ３２は、第２フレーマ３３から入力される第２形式のフレームから第１形式フレームを取り出すデカプセル化処理を行う。
【００４２】
第２フレーマ３３は、第２形式のフレームを第３形式のフレームにマッピングする。第３形式のフレームは、クライアント信号用ＬＩＵ１０とスイッチファブリック１２との間、伝送路用ＬＩＵ１１とスイッチファブリック１２との間のデータ伝送に使用されるフレームである。第３形式のフレームは、例えばＳＯＮＥＴ／ＳＤＨフレームであってよい。
【００４３】
ＬＩＵ制御部３４は、クライアント信号用ＬＩＵ１０の動作を制御する。ＬＩＵ制御部３４は、ＣＰＵとメモリとを有していてよい。メモリには、このＣＰＵが実行するプログラムと、このプログラムの動作に使用するデータとが記憶される。
【００４４】
信号インタフェースは、ＬＩＵ制御部３４と、制御部１３、信号処理部３１、第１フレーマ３２及び第２フレーマ３３との間の信号インタフェースである。
【００４５】
図６は、図４に示す制御部１３の構成例を示す図である。また、図７、図８及び図９は、それぞれ信号処理部３１、第１フレーマ３２及びＬＩＵ制御部３４の構成例を示す図である。
【００４６】
図６を参照する。制御部１３は、コマンド処理部４０と、パス設定部４１と、データベース４２と、スイッチ制御部４３と、警報検出部４４と、待機時間管理部４５を備える。コマンド処理部４０と、パス設定部４１、スイッチ制御部４３、警報検出部４４及び待機時間管理部４５によって実行される処理は、図４の補助記憶装置２２に記憶されるプログラムをＣＰＵ２０が実行することにより実現されるものである。なお図６では、制御部１３の構成のうち、本実施例の説明に関係する機能を中心として示している。
【００４７】
図７を参照する。信号処理部３１は、送受信部５０と、検出部５１と、リンク検出部５３と、切断部５２を備える。
【００４８】
図８を参照する。第１フレーマ３２は、カプセル化／デカプセル化部６０と、指示信号送信部６１と、指示信号検出部６２を備える。
【００４９】
図９を参照する。ＬＩＵ制御部３４は、切断制御部７０と、指示信号制御部７１と、第１測定部７２と、第１抑止部７３と、第２測定部７４と、第２抑止部７５を備える。
【００５０】
図６を参照する。コマンド処理部４０は、監視装置５から入力されるコマンドを受け付ける。コマンド処理部４０が受け付けるコマンドには、第１待機時間として指定するのに適した時間を伝送装置４ａが測定することを指示する第１待機時間測定コマンドが含まれる。
【００５１】
また、コマンド処理部４０が受け付けるコマンドには、第２待機時間として指定するのに適した時間を伝送装置４ａが測定することを指示する第２待機時間測定コマンドが含まれる。コマンドは、第１待機時間に適した時間の測定と第２待機時間に適した時間の測定の両方を一度に指示するものであってもよい。
【００５２】
第１待機時間は、伝送装置４ａがクライアント信号のＬｏＳを検出してから、伝送装置４ａが指示信号を送信するまでの待機時間である。すなわち、伝送装置４ａは、クライアント信号のＬｏＳを検出した場合に、もし第１待機時間が経過するまでＬｏＳの検出が継続したら指示信号を送信する。
【００５３】
指示信号は、ＬｏＳが検出されたクライアント信号を伝送するパスの出口の伝送装置４ｂ、すなわちこのパスの対向の伝送装置４ｂに対して、ＬｏＳの発生を通知する信号である。指示信号は、例えばＣＳＦであってよい。対向の伝送装置４ｂは、指示信号を受信すると、このクライアント信号の送信先のクライアント装置２ｂとの接続をシャットダウンする。
【００５４】
第２待機時間は、あるパスに挿入された指示信号を伝送装置４ａが受信してから、このパスで伝送されるクライアント信号を受信するクライアント装置２ａとの接続をシャットダウンするまでの待機時間である。すなわち、伝送装置４ａは、第２待機時間が経過するまで指示信号の受信が継続した場合にクライアント装置２ａとの接続をシャットダウンする。
【００５５】
第１待機時間測定コマンド及び第２待機時間測定コマンドは、測定が実施されるパスの指定情報を含む。これらのコマンドは、測定処理のタイムアウトに使用する待ち時間の指定情報や、反復して測定する場合の繰り返し回数の指定情報を含んでもよい。コマンド処理部４０は、第１待機時間に適した時間の測定を第１測定部７２に実施させる。またコマンド処理部４０は、第２待機時間に適した時間の測定を第２測定部７４に実施させる。
【００５６】
パス設定部４１は、第１待機時間測定コマンド及び第２待機時間測定コマンドにおいて指定されたパスを設定するためのスイッチファブリック１２の設定情報を、データベース１２に書き込む。スイッチ制御部４３は、データベース１２に書き込まれた設定情報に従ってスイッチファブリック１２を設定することによって、パスを設定するためのクロスコネクトを生成する。
【００５７】
また、パス設定部４１は、コマンドで指定されたパスの対向の伝送装置４ｂ及び伝送路網３内でパスを中継する伝送装置にパスを設定させるメッセージを生成し、これらの装置へ送信する。
【００５８】
警報検出部４４は、スイッチファブリック１２又は伝送路網用ＬＩＵ１１によって警報信号が検出されたことを検出する。警報検出部４４は、警報信号が検出されたことを第２測定部７４へ通知する。
【００５９】
待機時間管理部４５は、第１測定部７２及び第２測定部７４によって決定された第１待機時間及び第２待機時間をデータベースに格納する。また、待機時間管理部４５は、指示信号制御部７１が指示信号を送信する制御を実行するとき、第１待機時間を通知する。待機時間管理部４５は、切断制御部７０がクライアント装置２ａとの接続のシャットダウン制御を実行するとき、第２待機時間を通知する。
【００６０】
図７を参照する。送受信部５０は、ＳＦＰ３０から受信したクライアント信号から第１形式のフレームを再現し第１フレーマ３２へ出力する。送受信部５０は、第１フレーマ３２から受信した信号を、ＳＦＰ３０に入力するための信号に変換し、ＳＦＰ３０へ出力する。
【００６１】
検出部５１は、クライアント装置２ａからのクライアント信号の受信の停止、すなわちクライアント信号のＬｏＳを検出する。検出部５１は、ＬｏＳの発生及び復旧の検出結果を指示信号制御部７１へ通知する。
【００６２】
リンク検出部５３は、クライアント装置２ａとのリンクアップ及びリンクダウン、すなわちクライアント装置２ａとの接続の有無を検出する。リンク検出部５３は、検出結果を指示信号制御部７１及び第１測定部７２へ通知する。切断部５２は、切断制御部７０の指示にしたがってクライアント装置２ａとの接続のシャットダウンの実施及び解除の処理を行う。
【００６３】
図８を参照する。カプセル化／デカプセル化部６０は、送受信部５０から受信した第１形式のフレームのデータを、伝送路網３上で伝送される第２形式のフレーム内にカプセル化する。カプセル化／デカプセル化部６０は、第２形式のフレームから第１形式フレームを取り出すデカプセル化処理を行う。
【００６４】
指示信号送信部６１は、指示信号制御部７１の指示に従って、指定されたパス上を伝送する第２形式のフレームに指示信号を挿入することにより、指定されたパスに指示信号を挿入する。指示信号検出部６２は、第２フレーマ３３から受信した第２形式のフレームから指示信号を検出する。指示信号検出部６２は、切断制御部７０及び第２測定部７４へ指示信号の検出を通知する。
【００６５】
図９を参照する。指示信号検出部６２があるパスにて指示信号を検出したとき、切断制御部７０は、このパスを経由してクライアント信号が伝送されるクライアント装置２ａとの接続のシャットダウンを切断部５２に指示する。切断制御部７０は、待機時間管理部４５から第２待機時間の指定情報を受信する。
【００６６】
切断制御部７０は、第２待機時間が経過するまで指示信号が継続した場合に、切断部５２にシャットダウンを指示する。すなわち、切断制御部７０は第２待機時間に亘って指示信号が継続して検出されるまで、切断部５２によるシャットダウンを停止する。
【００６７】
切断制御部７０は、指示信号の検出が停止したとき、クライアント装置２ａとの接続のシャットダウンを解除する。すなわちクライアント装置２ａと再接続する。また切断制御部７０は、第１測定部７２による時間測定時に、第１測定部７２からの指示にしたがって、シャットダウンの実施と解除を行う。
【００６８】
指示信号制御部７１は、検出部５１がクライアント信号のＬｏＳを検出した通知を受信すると、このクライアント信号の送信先のクライアント装置２ａからクライアント信号を受信するためのパスに、指示信号が挿入されているか否かを判定する。指示信号が挿入されていない場合、指示信号制御部７１は、このクライアント装置２ａへクライアント信号を送信するパスへ指示信号を挿入することを指示信号送信部６１に指示する。
【００６９】
指示信号が挿入されている場合、検出したＬｏＳは伝送装置４自身によるシャットダウンの為に生じたＬｏＳであるので、指示信号制御部７１は指示信号の送信を指示しない。
【００７０】
指示信号制御部７１は、待機時間管理部４５から第１待機時間の指定情報を受信する。指示信号制御部７１は、第１待機時間が経過するまでＬｏＳの検出が継続した場合に、指示信号送信部６１に指示信号の送信を指示する。すなわち、指示信号制御部７１は、第１待機時間に亘ってＬｏＳが継続して検出されるまで、指示信号の送信を停止する。
【００７１】
リンク検出部５３がクライアント装置２ａとの接続のリンクアップを検出したとき、指示信号制御部７１は、指示信号送信部６１に指示信号の送信を停止させる。また指示信号制御部７１は、第２測定部７４による時間測定時に、第２測定部７４からの指示にしたがって、指示信号の送信及び停止制御を行う。
【００７２】
第１測定部７２は、コマンド処理部４０から第１待機時間測定コマンドを受信すると、切断制御部７０に、コマンドで指定されたパスにてクライアント信号が伝送されるクライアント装置２ａとの接続をシャットダウンさせる。リンク検出部５３がクライアント装置２ａとの接続のリンクダウンが検出すると、第１測定部７２は、切断制御部７０にシャットダウンの解除を指示する。シャットダウン解除と同時に、第１測定部７２はタイマによる時間計測を開始する。
【００７３】
第１測定部７２は、ある待ち時間内において、リンク検出部５３がクライアント装置２ａの接続のリンクアップを検出するか否か判定する。待ち時間は、第１待機時間測定コマンドにて指定されてもよく、その他の方法で指定されてもよく、固定値でもよい。
【００７４】
この待ち時間内にリンクアップが検出されたとき、第１測定部７２は、シャットダウンの解除からリンクアップの検出までの間の時間を第１待機時間として決定する。第１測定部７２は、第１待機時間を待機時間管理部４５に通知する。待機時間管理部４５は、第１待機時間をデータベース４２に保存する。このときコマンド処理部４０は、監視装置５に正常応答を送信する。この待ち時間内にリンクアップが検出されないとき、コマンド処理部４０は、監視装置５に異常応答を送信する。
【００７５】
第１測定部７２は、複数回測定を繰り返してもよい。第１測定部７２は、複数回の測定結果のうち特異点を除いた最大値、平均値、最小値のいずれかを選択して第１待機時間としてよい。
【００７６】
このように第１待機時間を決定する理由を以下に示す。指示信号の受信により各クライアント装置２ａとの接続をシャットダウンした伝送装置４ａは、指示信号が停止したときシャットダウンを解除する。シャットダウンを解除してからリンクアップするまではＬｏＳが検出され続ける。このＬｏＳによって指示信号を送信すると、対向の伝送装置４ｂでもシャットダウン制御が行われる。そして、この伝送装置４ｂにおいても、シャットダウンを解除する時にまた指示信号が送信する場合もあり得る。この結果ネットワークの擾乱が発生する。
【００７７】
本実施例によれば、指示信号の受信が停止してからある期間はＬｏＳを検出しても指示信号を送信しないように指示信号の送信を停止する第１待機時間を設けることによって、ネットワークの擾乱が防止される。
【００７８】
しかし、第１待機時間に適した期間は、クライアント装置２や伝送経路などによって異なる。また伝送装置４に接続されるクライアント装置の数も多い。このため、ネットワーク設計者が各クライアント装置２について最適な時間を決定し、手動で第１待機時間を設定しようとすると多大な費用及び時間が消費される。
【００７９】
本実施例により決定される第１待機時間は、各クライアント装置２との接続のシャットダウンを解除してからリンクアップによりＬｏＳが検出されなくなるまでの時間を示す。このため本実施例により決定される時間は、第１待機時間として指定できる最短の時間となる。
【００８０】
したがって、本実施例のように測定された時間に基づいて第１待機時間を決定することにより第１待機時間が最適化される。また、第１待機時間を設定する際のネットワーク設計者の労力が大幅に軽減される。
【００８１】
第１抑止部７３は、第１測定部７２による測定の間は、ＬｏＳが検出されても指示信号制御部７１が指示信号送信部６１に指示信号の送信を指示することを抑止する。第１抑止部７３によって、第１待機時間測定コマンドによって無用な指示信号が送信されることが防止される。
【００８２】
次に、第２測定部７４による測定処理を説明する。第２測定部７４は、コマンド処理部４０から第２待機時間測定コマンドを受信すると、指示信号制御部７１に、コマンドで指定されたパスを経由して指示信号を送信させる。その後、第２測定部７４は、指示信号の送信先の伝送装置４ｂから警報信号を受信したか、又はある待ち時間が経過したかのいずれか一方の条件が満たされるか否かを判定する。待ち時間は、第２待機時間測定コマンドにて指定されてもよく、その他の方法で指定されてもよく、固定値でもよい。
【００８３】
警報信号の受信が検出されず、かつ待ち時間の経過前に障害が検出された場合には、第２測定部７４は、測定処理を中止する。そしてコマンド処理部４０は、監視装置５に異常応答を送信する。
【００８４】
警報信号の受信が検出されるか待ち時間が経過した場合には、第２測定部７４は、指示信号制御部７１に指示信号の送信を停止させる。指示信号の送信停止と同時に、第２測定部７４は、タイマによる時間計測を開始する。
【００８５】
対向する伝送装置４ｂは、指示信号を受信すると、指示信号が検出されたパス上でクライアント信号が受信されるクライアント装置２ｂとの接続をシャットダウンする。指示信号の受信が停止すると、対向する伝送装置４ｂは、クライアント装置２ｂとの接続のシャットダウンを解除する。対向する伝送装置４は、クライアント装置２ｂとの接続のリンクアップが完了するまでの間はＬｏＳを検出し続ける。このため、対向する伝送装置４は、クライアント装置２ｂが送信するクライアント信号を伝送するパスに、指示信号を挿入する。
【００８６】
第２測定部７４は、クライアント装置２ｂからのクライアント信号を伝送するパスとしてコマンドが指定するパス上において、指示信号検出部６２が指示信号を検出するか否かを判定する。指示信号が検出されないとき、第２測定部７４は、測定処理を中止する。コマンド処理部４０は、監視装置５に異常応答を送信する。指示信号検出部６２が指示信号を検出したとき、第２測定部７４は指示信号の検出停止を待つ。
【００８７】
指示信号の検出が停止したとき、第２測定部７４は、指示信号制御部７１による指示信号の送信停止から、指示信号検出部６２による指示信号の検出停止までの時間を第２待機時間として決定する。第２測定部７４は、第２待機時間を待機時間管理部４５に通知する。待機時間管理部４５は、第２待機時間をデータベース４２に保存する。このときコマンド処理部４０は、監視装置５に正常応答を送信する。
【００８８】
第２測定部７４は、複数回測定を繰り返してもよい。第２測定部７４は、複数回の測定結果のうち特異点を除いた最大値、平均値、最小値のいずれかを選択して第２待機時間としてよい。
【００８９】
このように第２待機時間を決定する理由を以下に示す。上述の通り、伝送装置４ａが指示信号の送信を停止したとき、対向する伝送装置４ｂは、指示信号の受信の停止からクライアント装置２ｂとの接続のリンクアップまでの期間に指示信号を送信することが考えられる。したがって、この期間内に受信される指示信号を受信しても、伝送装置４ｂがシャットダウン処理を行わない第２待機時間を設けることによって、ネットワークの擾乱が防止される。
【００９０】
この第２待機時間に適した期間は、対向する伝送装置４ｂに接続されるクライアント装置２ｂや伝送経路などによって異なる。また伝送装置４ｂに接続されるクライアント装置２ｂの数も多い。このため、ネットワーク設計者が各クライアント装置２について最適な時間を決定し、手動で第２待機時間を設定しようとすると多大な費用及び時間が消費される。
【００９１】
このため、従来の装置では第２待機時間として一律の過大な値が設定されていることが多い。第２待機時間が長すぎる場合には、障害発生時におけるシャットダウン処理などの救済動作の遅れを招き、データ損失が大きくなる不都合が生じる。また、障害復旧時の回復処理にも遅れを招く。
【００９２】
本実施例により決定される第２待機時間は、伝送装置４ａが指示信号の送信を停止してから、対向の伝送装置４ｂが指示信号の送信を停止するまでの時間を示す。このため、この本実施例により決定される時間は、第２待機時間として指定できる最短の時間となる。したがって、本実施例のように測定された時間に基づいて第２待機時間を決定することにより第２待機時間が最適化され、障害発生時におけるデータ損失が低減される。また、第２待機時間を設定する際のネットワーク設計者の労力が大幅に軽減される。
【００９３】
第２抑止部７５は、第２測定部７４による測定の間は、測定対象のパスから指示信号が検出されても、切断制御部７０が切断部５２にシャットダウンを指示することを抑止する。第２抑止部７５によって、第２待機時間測定コマンドによって無用なシャットダウン制御が実施されることが防止される。
【００９４】
続いて、本実施例による伝送装置４による処理を説明する。図１０は、ＬｏＳ検出時の指示信号の送信処理の説明図である。なお、他の実施態様においては、下記のオペレーションＡＡ〜ＡＦの各オペレーションはステップであってもよい。オペレーションＡＡにおいて、検出部５１はＬｏＳの検出を試みる。ＬｏＳが検出される場合は（オペレーションＡＡ：Ｙ）、処理はオペレーションＡＢへ進む。ＬｏＳが検出されない場合は（オペレーションＡＡ：Ｎ）、オペレーションＡＡが繰り返される。
【００９５】
オペレーションＡＢにおいて指示信号制御部７１は、ＬｏＳが検出されたクライアント装置からクライアント信号を受信するパスにおいて指示信号が検出されるか否かを判定する。指示信号が検出される場合は（オペレーションＡＢ：Ｙ）、指示信号を送信せずに処理が終了する。指示信号が検出されない場合は（オペレーションＡＢ：Ｎ）、処理はオペレーションＡＣへ進む。
【００９６】
オペレーションＡＣにおいて指示信号制御部７１は、ＬｏＳの検出が第１待機時間に亘って継続するか否かを判定する。ＬｏＳの検出が第１待機時間に亘って継続する場合は（オペレーションＡＣ：Ｙ）、処理はオペレーションＡＤへ進む。ＬｏＳの検出が第１待機時間に亘って継続しない場合は（オペレーションＡＣ：Ｎ）、指示信号を送信せずに処理が終了する。
【００９７】
オペレーションＡＤにおいて指示信号制御部７１は、ＬｏＳが検出されたクライアント装置２へクライアント信号を送信するパスへ指示信号を送信することを指示信号送信部６１に指示する。
【００９８】
オペレーションＡＥにおいて、リンク検出部５３は、クライアント装置２との接続が復旧、すなわちリンクアップしたか否かを判断する。クライアント装置２との接続が復旧した場合（オペレーションＡＥ：Ｙ）、処理はオペレーションＡＦへ進む。クライアント装置２との接続が復旧しない場合（オペレーションＡＥ：Ｎ）、処理はオペレーションＡＤへ戻る。
【００９９】
オペレーションＡＦにおいて指示信号制御部７１は、指示信号送信部６１に指示信号の送信を停止させる。
【０１００】
図１１は、指示信号受信時の接続切断処理の説明図である。なお、他の実施態様においては、下記のオペレーションＢＡ〜ＢＥの各オペレーションはステップであってもよい。オペレーションＢＡにおいて指示信号検出部６２は、第２フレーマ３３から受信した第２形式のフレームから指示信号を検出することを試みる。指示信号が検出される場合（オペレーションＢＡ：Ｙ）、処理はオペレーションＢＢへ進む。指示信号が検出されない場合（オペレーションＢＡ：Ｎ）、オペレーションＢＡが繰り返される。
【０１０１】
オペレーションＢＢにおいて、切断制御部７０は、指示信号の検出が第２待機時間に亘って継続するか否かを判定する。指示信号の検出が第２待機時間に亘って継続する場合は（オペレーションＢＢ：Ｙ）、処理はオペレーションＢＣへ進む。指示信号の検出が第２待機時間に亘って継続しない場合は（オペレーションＢＢ：Ｎ）、クライアント装置２との接続をシャットダウンせずに処理が終了する。
【０１０２】
オペレーションＢＣにおいて切断制御部７０は、指示信号が検出されたパスを経由してクライアント信号が伝送されるクライアント装置２との接続のシャットダウンを切断部５２に指示する。
【０１０３】
オペレーションＢＤにおいて指示信号検出部６２は、指示信号の検出が停止するか否かを判定する。指示信号の検出が停止した場合（オペレーションＢＤ：Ｙ）、処理はオペレーションＢＥへ進む。指示信号の検出が停止しない場合（オペレーションＢＤ：Ｎ）、オペレーションＢＤが繰り返される。
【０１０４】
オペレーションＢＥにおいて切断制御部７０は、クライアント装置２との接続のシャットダウンを解除する。
【０１０５】
次に、第１待機時間及び第２待機時間の決定処理について説明する。図１２は、第１待機時間の決定処理の説明図である。なお、他の実施態様においては、下記のオペレーションＣＡ〜ＣＨの各オペレーションはステップであってもよい。オペレーションＣＡにおいて、第１測定部７２は、コマンド処理部４０から第１待機時間測定コマンドを受信する。
【０１０６】
オペレーションＣＢにおいて第１測定部７２は、切断制御部７０に、コマンドで指定されたパスにてクライアント信号が伝送されるクライアント装置２との接続をシャットダウンさせる。オペレーションＣＣにおいてリンク検出部５３が、このクライアント装置２との接続のリンクダウンを検出する。
【０１０７】
オペレーションＣＤにおいて第１測定部７２は、切断制御部７０にシャットダウンの解除を指示する。シャットダウン解除と同時に、第１測定部７２はタイマによる時間計測を開始する。また、第１測定部７２による第１待機時間の決定処理が完了するまで、第１抑止部７３は、ＬｏＳが検出されても指示信号制御部７１が指示信号送信部６１に指示信号の送信を指示することを抑止する。
【０１０８】
オペレーションＣＥにおいて第１測定部７２は、ある待ち時間内において、リンク検出部５３がクライアント装置２の接続のリンクアップを検出するか否か判定する。リンクアップが検出された場合（オペレーションＣＥ：Ｙ）、処理はオペレーションＣＦへ進む。リンクアップが検出されない場合（オペレーションＣＥ：Ｎ）、処理はオペレーションＣＨへ進む。
【０１０９】
オペレーションＣＦにおいて第１測定部７２は、シャットダウンの解除からリンクアップの検出までの間の時間を第１待機時間として決定する。第１測定部７２は、第１待機時間を待機時間管理部４５に通知する。待機時間管理部４５は、第１待機時間をデータベース４２に保存する。
【０１１０】
オペレーションＣＧにおいてコマンド処理部４０は、監視装置５に正常応答を送信する。一方で、オペレーションＣＨにおいてコマンド処理部４０は、監視装置５に異常応答を送信する。
【０１１１】
図１３は、第２待機時間の決定処理の説明図である。なお、他の実施態様においては、下記のオペレーションＤＡ〜ＤＩの各オペレーションはステップであってもよい。オペレーションＤＡにおいて第２測定部７４は、コマンド処理部４０から第２待機時間測定コマンドを受信する。
【０１１２】
オペレーションＤＢにおいて第２測定部７４は、指示信号制御部７１に、コマンドで指定されたパスを経由して指示信号を送信させる。オペレーションＤＣにおいて第２測定部７４は、指示信号の送信先の伝送装置４から警報信号が受信されたか、又はある待ち時間が経過するかのいずれか一方の条件が満たされるか否かを判定する。この条件が満たされる場合（オペレーションＤＣ：Ｙ）、処理はオペレーションＤＤへ進む。警報信号の受信が検出されず、かつ待ち時間の経過前に障害が検出された場合（オペレーションＤＣ：Ｎ）、処理はオペレーションＤＩへ進む。
【０１１３】
オペレーションＤＤにおいて第２測定部７４は、指示信号制御部７１に指示信号の送信を停止させる。指示信号の送信停止と同時に、第２測定部７４は、タイマによる時間計測を開始する。
【０１１４】
オペレーションＤＥにおいて指示信号検出部６２は、コマンドにて指定されたパス上において指示信号の検出を試みる。指示信号が検出される場合（オペレーションＤＥ：Ｙ）、処理はオペレーションＤＦへ進む。指示信号が検出されない場合（オペレーションＤＥ：Ｎ）、処理はオペレーションＤＩへ進む。
【０１１５】
オペレーションＤＦにおいて第２測定部７４は、指示信号検出部６２による指示信号の検出が停止するか否かを判定する。指示信号の検出が停止した場合（オペレーションＤＦ：Ｙ）、処理はオペレーションＤＧへ進む。指示信号の検出が停止しない場合（オペレーションＤＦ：Ｎ）、オペレーションＤＦが繰り返される。指示信号の検出が停止するまでの間、第２抑止部７５は、切断制御部７０が切断部５２にシャットダウンを指示することを抑止する。
【０１１６】
オペレーションＤＧおいて第２測定部７４は、指示信号制御部７１による指示信号の送信停止から、指示信号検出部６２による指示信号の検出停止までの時間を第２待機時間として決定する。第２測定部７４は、第２待機時間を待機時間管理部４５に通知する。待機時間管理部４５は、第２待機時間をデータベース４２に保存する。
【０１１７】
オペレーションＤＨにおいてコマンド処理部４０は、監視装置５に正常応答を送信する。一方で、オペレーションＤＩにおいてコマンド処理部４０は、監視装置５に異常応答を送信する。
【０１１８】
本実施例によれば、伝送装置４が指示信号を受信した場合に、障害回復によりクライアント装置２との接続のシャットダウンを解除する際にＬｏＳを検出しても第１待機時間の間は指示信号の送信を停止する。このため、無用な指示信号の送信が防止され、ネットワーク擾乱を防止することができる。
【０１１９】
本実施例によれば、クライアント信号用ＬＩＵ１０が実行する一連の処理によって第１待機時間及び第２待機時間を最適化することが可能となる。このため、これら待機時間の最適化を現実に実行することが可能となるため、障害の救済動作及び復旧動作の遅れを低減することがでる。この結果、障害発生時におけるデータ損失を低減することができる。
【０１２０】
本実施例による伝送装置４ａは、伝送装置４ａから指示信号を受信した対向の伝送装置４ｂが、指示信号停止後のシャットダウン解除時に指示信号を送信しても、かかる指示信号に起因してシャットダウン制御を実施することを抑止する。このため、伝送装置４ａは、対向する伝送装置４ｂが本実施例による機能を備えていなくても、ネットワーク擾乱を防止することができる。
【０１２１】
同様に本実施例による伝送装置４ａは、指示信号を受信してクライアント装置２ａとの接続をシャットダウンした場合、障害回復に伴うシャットダウン解除の際に指示信号を送信することを抑止する。このため、伝送装置４ａは、対向する伝送装置４ｂが本実施例による機能を備えていなくても、ネットワーク擾乱を防止することができる。
【０１２２】
以上の実施例を含む実施形態に関し、更に以下の付記を開示する。
（付記１）
クライアント装置との間でクライアント信号を送受信する送受信部と、
前記クライアント信号の受信停止を検出する検出部と、
伝送路網上において前記クライアント信号を伝送するためのパスの出口の伝送装置へ、クライアント装置との間で前記クライアント信号を送受信するための接続を切断させる指示信号を送信する指示信号送信部と、
第１待機時間に亘って前記クライアント信号の受信停止が継続するまで、前記指示信号の送信を停止する指示信号制御部と、
を備える通信インタフェース装置。
（付記２）
前記送受信部による前記クライアント信号の送受信のための接続を切断する切断部と、
前記切断部により切断された接続の再接続の開始から完了までの時間を測定する第１測定部と、を備え、
前記第１待機時間は、前記第１測定部により測定された時間である付記１に記載の通信インタフェース装置。
（付記３）
前記第１測定部による測定中に前記指示信号送信部による前記指示信号の送信を抑止する第１抑止部を備える付記２に記載の通信インタフェース装置。
（付記４）
前記指示信号制御部は、前記第１測定部による複数回の測定結果のうち特異点を除いた最大値を前記第１待機時間として使用する付記２又は３に記載の通信インタフェース装置。
（付記５）
前記伝送路網上で伝送される形式のフレーム内に前記クライアント信号をカプセル化するカプセル化部を備え、
前記指示信号送信部は、前記伝送装置へ送信される前記形式の送信フレームに前記指示信号を挿入し、
前記指示信号制御部は、前記第１待機時間に亘って前記クライアント信号の受信停止が継続するまで、前記指示信号送信部による前記指示信号の挿入を停止する、付記１〜４のいずれか一項に記載の通信インタフェース装置。
（付記６）
クライアント装置との間でクライアント信号を送受信する送受信部と、
伝送路網を経由して前記クライアント信号を伝送するための前記伝送路網上のパスの出口の伝送装置へ、クライアント装置との間で前記クライアント信号を送受信するための接続を切断させる指示信号を、送信する指示信号送信部と、
前記伝送装置から送信された前記指示信号を検出する指示信号検出部と、
前記送受信部による前記クライアント信号の送受信のための接続を切断する切断部と、
第２待機時間に亘って指示信号が継続して検出されるまで、前記切断部による切断処理を停止する切断制御部と、
前記指示信号送信部による前記指示信号の送信を停止してから、前記指示信号検出部により指示信号が検出されなくなるまでの時間を測定する第２測定部と、を備え、
前記第２待機時間は、前記第２測定部により測定された時間である通信インタフェース装置。
（付記７）
前記第２測定部による測定中に前記切断部による切断処理を抑止する第２抑止部を備える付記６に記載の通信インタフェース装置。
（付記８）
前記切断制御部は、前記第２測定部による複数回の測定結果のうち特異点を除いた最大値を前記第２待機時間として使用する付記６又は７に記載の通信インタフェース装置。
（付記９）
前記伝送路網上で伝送される形式のフレーム内に前記クライアント信号をカプセル化するカプセル化部と、
前記形式のフレームから前記クライアント信号を取り出すデカプセル化部と、を備え、
前記指示信号送信部は、前記伝送装置へ送信される前記形式の送信フレームに前記指示信号を挿入し、
前記指示信号検出部は、前記伝送装置から受信した前記形式の受信フレームから前記指示信号を検出する、付記６〜８のいずれか一項に記載の通信インタフェース装置。
（付記１０）
クライアント装置から送信されるクライアント信号の受信停止を検出し、
第１待機時間に亘って前記クライアント信号の受信停止が継続するまで、伝送路網上において前記クライアント信号を伝送するためのパスの出口の伝送装置へ、クライアント装置との間で前記クライアント信号を送受信するための接続を切断させる指示信号の送信を停止させる、ことを特徴とする指示信号の送信制御方法。
（付記１１）
伝送路網を経由してクライアント信号を伝送するための前記伝送路網上のパスの出口の伝送装置へ、クライアント装置との間で前記クライアント信号を送受信するための接続を切断させる指示信号を送信し、
前記指示信号の送信を停止し、
前記指示信号の送信を停止してから、前記伝送装置による前記指示信号の送信が停止するまでの時間を測定することにより第２待機時間を決定し、
前記伝送装置から前記指示信号を受信してから、クライアント装置との間で前記クライアント信号を送受信するための接続を切断するまでの待機時間として、前記第２待機時間を使用することを特徴とする切断処理制御方法。
【符号の説明】
【０１２３】
１    通信システム
２、２ａ、２ｂ    クライアント装置
３    伝送路網
４、４ａ、４ｂ    伝送装置
１０    クライアント信号用ＬＩＵ
１３    制御部
３１    信号処理部
３２    第１フレーマ
３４    ＬＩＵ制御部
４５    待機時間管理部
５０    送受信部
５１    検出部
５２    切断部
５３    リンク検出部
６０    カプセル化／デカプセル化部
６１    指示信号送信部
６２    指示信号検出部
７０    切断制御部
７１    指示信号制御部
７２    第１測定部
７４    第２測定部
【図１】
2012124736.tif 000003
【図２】
2012124736.tif 000004
【図３】
2012124736.tif 000005
【図４】
2012124736.tif 000006
【図５】
2012124736.tif 000007
【図６】
2012124736.tif 000008
【図７】
2012124736.tif 000009
【図８】
2012124736.tif 000010
【図９】
2012124736.tif 000011
【図１０】
2012124736.tif 000012
【図１１】
2012124736.tif 000013
【図１２】
2012124736.tif 000014
【図１３】
2012124736.tif 000015